(57)【要約】【課題】５レンズ群タイプの投射用ズームレンズで、長いバックフォーカスと広角端における短い焦点距離を両立させる。【解決手段】投射用ズームレンズは、画像を被投射面に投射して拡大表示させる画像表示装置に用いられる投射用ズームレンズであって、拡大側から縮小側へ向かって第１レンズ群〜第５レンズ群を配してなる５レンズ群構成であり、第１、第２レンズ群Ｇ１、Ｇ２は負の屈折力を有し、第３レンズ群Ｇ３は、正の屈折力を有し、最も縮小側の第５レンズ群Ｇ５の最も縮小側のレンズ面から画像表示素子までの距離：Bf、広角端における焦点距離：Ｆｗ、第１レンズ群の焦点距離：Ｆ１が、条件：（１）１．９≦Ｂｆ／Ｆｗ  、（２）１．２＜｜Ｆ１｜／Fｗ＜３．５を満足することを特徴とする。【選択図】図１
2014142596.tif 000002
【特許請求の範囲】
【請求項１】
画像を被投射面に投射して拡大表示させる画像表示装置に用いられる投射用ズームレンズであって、
拡大側から縮小側へ向かって第１レンズ群乃至第５レンズ群を配してなる５レンズ群構成であり、
第１レンズ群は、負の屈折力を有し、
第２レンズ群は、負の屈折力を有し、
第３レンズ群は、正の屈折力を有し、
最も縮小側の第５レンズ群の最も縮小側のレンズ面から画像表示素子までの距離：Bf、広角端における焦点距離：Ｆｗ、第１レンズ群の焦点距離：Ｆ１が、条件：
（１）  １．９  ≦  Ｂｆ／Ｆｗ
（２）  １．２    ＜  ｜Ｆ１｜／Fｗ  ＜  ３．５
を満足することを特徴とする投射用ズームレンズ。
【請求項２】
請求項１に記載の投射用ズームレンズにおいて、
第１レンズ群と第２レンズ群の広角端の合成焦点距離：Ｆｗ１−２、広角端での第２レンズ群の最も縮小側の面から第３レンズ群の最も拡大側の面までの距離：Ｄ２Ｇ−３Ｇが、条件：
（３）  ０．８  ＜  ｜Ｆｗ１−２｜／Ｄ２Ｇ−３Ｇ  ＜  ２．０
を満足することを特徴とする投射用ズームレンズ。
【請求項３】
請求項１または２に記載の投射用ズームレンズにおいて、
第３レンズ群、または第４レンズ群の屈折力の強いレンズ群の焦点距離：Ｆ３ｏ４、広角端における焦点距離：Ｆｗが、条件：
（４）０．３５  ＜  Ｆ３ｏ４／Ｆｗ  ＜  ０．７０
を満足することを特徴とする投射用ズームレンズ。
【請求項４】
請求項１乃至３の任意の１に記載の投射用ズームレンズにおいて、
最も縮小側の第５レンズ群の最も縮小側のレンズ面から画像表示素子までの距離：Bf、第１レンズ群の最も拡大側のレンズ面から画像表示素子までの距離：ＯＡＬが、条件：
（５）  ４．０  ＜  ＯＡＬ／Ｂｆ  ＜  ５．０
を満足することを特徴とする投射用ズームレンズ。
【請求項５】
請求項１乃至４の任意の１に記載の投射用ズームレンズにおいて、
最も縮小側の第５レンズ群の最も縮小側のレンズ面から画像表示素子までの距離：Bf、第５レンズ群の最も縮小側のレンズの有効径：Ｄ５が、条件：
（６）  ０．４  ＜  Ｄ５  ／  Ｂｆ    ＜０．６
を満足することを特徴とする投射用ズームレンズ。
【発明の詳細な説明】
【技術分野】
【０００１】
この発明は投射用ズームレンズに関する。
【背景技術】
【０００２】
装置前方のスクリーン上に拡大画像を投射するフロント投射型のプロジェクタ装置は、企業でのプレゼンテーション用や学校での教育用、家庭用に近年広く普及している。
【０００３】
また、近来、投射用ズームレンズには「高倍率であり、かつ広角であること」が要請されるようになってきている。
【０００４】
このような要請に沿うものとして、特許文献１、２に記載されたものが知られている。
【０００５】
特許文献１記載の投射用ズームレンズは、負・負・正・負・正の５レンズ群構成で、変倍時の収差も十分抑えられているが、広角端の半画角：ωｗは３０°に留まっている。
【０００６】
特許文献２記載の投射用ズームレンズは、負・負・正・正・正の５レンズ群構成で、収差も十分に抑えられているが、広角端の半画角：ωｗは２０．８°に留まっている。
【０００７】
一般に、「画像の投射に用いられるレンズ」では、結像光線として「斜光線」が用いられる点で、カメラ用の撮影レンズ系と異なる。  
カメラ用の撮影レンズでは、レンズの有効領域を全て使用可能である。  
しかし、画像の投射に用いられるレンズでは、投射画像が斜光線により結像されるため、画像投射領域として利用できる範囲は、レンズの有効領域の一部である。
【０００８】
このため、画像を投射される被投射面を大面積化するためには、投射用ズームレンズの広角化が必要である。
【０００９】
また、近時は、プロジェクタ装置の投射距離を小さくし、プロジェクタ装置を被投射面に「より近づけて配置」することが強く要請されている。
【００１０】
このような被投射面への近接配置で、且つ、大面積の被投射面を実現するためにも、投射用ズームレンズには、さらなる広角化が望まれる。
【００１１】
また、種々のライトバルブへの適用可能性の面からすると、投射用ズームレンズはバックフォーカスが大きいことが好ましい。
【００１２】
種々のライトバルブへの適用可能性と、広角という面を考えると、バックフォーカス：Bfと、広角端における全系の焦点距離：Fwとの比：Bf/Fwが重要なパラメータとなる。
【００１３】
この点から、前記特許文献１、２に記載された投射用ズームレンズを見ると、パラメータ「Bf/Fw」は、特許文献１では０．７２程度、特許文献２では１．７６程度である。
【発明の概要】
【発明が解決しようとする課題】
【００１４】
この発明は、第１レンズ群乃至第３レンズ群のパワー配置が「負・負・正」の５レンズ群タイプで、「Ｂｆ／Ｆｗ」を大きく設定することと光学性能の両立を可能とする広角の投射用ズームレンズの実現を課題とする。
【課題を解決するための手段】
【００１５】
この発明の投射用ズームレンズは、画像を被投射面に投射して拡大表示させる画像表示装置に用いられる投射用ズームレンズであって、拡大側から縮小側へ向かって第１レンズ群乃至第５レンズ群を配してなる５レンズ群構成であり、第１レンズ群は、負の屈折力を有し、第２レンズ群は、負の屈折力を有し、第３レンズ群は、正の屈折力を有し、最も縮小側の第５レンズ群の最も縮小側のレンズ面から画像表示素子までの距離：Bf、広角端における焦点距離：Ｆｗ、第１レンズ群の焦点距離：Ｆ１が、条件：
（１）  １．９  ≦  Ｂｆ／Ｆｗ
（２）  １．２    ＜  ｜Ｆ１｜／Fｗ  ＜  ３．５
を満足することを特徴とする。
【発明の効果】
【００１６】
この発明の投射用ズームレンズは、広角であり、かつ、「Bf/Fw」を大きく設定することと光学性能の両立を可能としている。
なお、以下において「〜」は「乃至」を略した記号である。
【図面の簡単な説明】
【００１７】
【図１】実施例１の投射用ズームレンズの構成を示す断面図である。
【図２】実施例１の投射用ズームレンズの収差曲線図である。
【図３】実施例２の投射用ズームレンズの構成を示す断面図である。
【図４】実施例２の投射用ズームレンズの収差曲線図である。
【図５】実施例３の投射用ズームレンズの構成を示す断面図である。
【図６】実施例３の投射用ズームレンズの収差曲線図である。
【図７】実施例４の投射用ズームレンズの構成を示す断面図である。
【図８】実施例４の投射用ズームレンズの収差曲線図である。
【図９】実施例５の投射用ズームレンズの構成を示す断面図である。
【図１０】実施例５の投射用ズームレンズの収差曲線図である。
【図１１】実施例６の投射用ズームレンズの構成を示す断面図である。
【図１２】実施例６の投射用ズームレンズの収差曲線図である。
【図１３】実施例７の投射用ズームレンズの構成を示す断面図である。
【図１４】実施例７の投射用ズームレンズの収差曲線図である。
【図１５】実施例８の投射用ズームレンズの構成を示す断面図である。
【図１６】実施例８の投射用ズームレンズの収差曲線図である。
【図１７】実施例９の投射用ズームレンズの構成を示す断面図である。
【図１８】実施例９の投射用ズームレンズの収差曲線図である。
【図１９】実施例１０の投射用ズームレンズの構成を示す断面図である。
【図２０】実施例１０の投射用ズームレンズの収差曲線図である。
【図２１】実施例１１の投射用ズームレンズの構成を示す断面図である。
【図２２】実施例１１の投射用ズームレンズの収差曲線図である。
【図２３】実施例１２の投射用ズームレンズの構成を示す断面図である。
【図２４】実施例１２の投射用ズームレンズの収差曲線図である。
【図２５】実施例１３の投射用ズームレンズの構成を示す断面図である。
【図２６】実施例１３の投射用ズームレンズの収差曲線図である。
【図２７】実施例１４の投射用ズームレンズの構成を示す断面図である。
【図２８】実施例１４の投射用ズームレンズの収差曲線図である。
【図２９】画像表示装置としてのプロジェクタ装置の概略構成図である。
【発明を実施するための形態】
【００１８】
以下、発明の実施の形態を説明する。
【００１９】
この発明のズームレンズは、前記の如く「投射用ズームレンズ」である。  
前述の如く、「投射用のレンズ」は結像光線が「斜光線」であり、この発明の投射用ズームレンズも、投射画像を結像する投射用光束としては「斜光線の光束」が用いられる。
【００２０】
図１、図３、図５、図７、図９、図１１、図１３、図１５、図１７、図１９、図２１、図２３、図２５、図２７に、投射用ズームレンズの実施の形態を１４例示す。
【００２１】
これらの実施の形態のズームレンズは、この順に、後述する具体的な実施例１〜１４に相当する。  
前記各図において、図の左方が「拡大側」、右方が「縮小側」である。繁雑を避けるために、これらの図において符号を共通化する。  
前記各図において、符号Ｇ１は第１レンズ群、符号Ｇ２は第２レンズ群、符号Ｇ３は第３レンズ群、符号Ｇ４は第４レンズ群、符号Ｇ５は第５レンズ群をそれぞれ示す。
【００２２】
また、個々のレンズについては、第ｉレンズ群Ｇｉ中において、拡大側から数えてｊ番目のレンズをＬｉｊで示す。
【００２３】
即ち、前記各図に実施の形態を示す投射用ズームレンズは、拡大側から縮小側へ向かって第１レンズ群Ｇ１〜第５レンズ群Ｇ５を配してなる５レンズ群構成である。
【００２４】
また、第３レンズ群Ｇ３以下に「開口絞り」が配置されている。
【００２５】
さらに、前記各図において、符号ＣＧは「画像表示素子（ライトバルブ）のカバーガラス」を示す。  
これら実施の形態・実施例において、ライトバルブとしては「微小ミラーデバイスであるＤＭＤ」を想定しているが、勿論、ライトバルブがこれに限定される訳ではない。
【００２６】
前記各図の、上段の図は「広角端におけるレンズ群配置（広角と表示）」を示し、下段の図は「望遠端におけるレンズ群配置（望遠と表示）」を示す。
【００２７】
また、これ等の図における上段の図と下段の図の間に描かれた矢印は、広角端から望遠端への変倍の際の、第２レンズ群Ｇ２〜第５レンズ群Ｇ５の変移の方向を示す。
第１レンズ群Ｇ１は、変倍に際して固定される。
【００２８】
前記各図に実施の形態を示す投射用ズームレンズにおいて、第１レンズ群Ｇ１と第２レンズ群Ｇ２とはともに負の屈折力を有し、第３レンズ群は正の屈折力を有する。  
第４レンズ群Ｇ４、第５レンズ群Ｇ５の屈折力は，第４レンズ群が正で、第５レンズ群が「正または負」であることができる。  
第４レンズ群Ｇ４、第５レンズ群Ｇ５の屈折力はまた、第４レンズ群が負で、第５レンズ群が「正または負」であることができる。  
即ち、第４、第５レンズ群Ｇ４、Ｇ５の屈折力は「正・負」、「正・正」、「負・負」、「負・正」の組み合わせが可能である。
なお、以下において、正の屈折力を持つレンズ群を「正群」とも称し、負の屈折力を持つレンズ群を「負群」とも称する。
【００２９】
条件（１）は、「大きなバックフォーカスと短い焦点距離」を両立させる条件である。  条件（１）から明らかなように、全系の焦点距離が最短となる広角端において、縮小側の主点位置を第５レンズ群の最も縮小側のレンズ面よりも縮小側に位置させている。
【００３０】
条件（１）の下限を超えると、広角端における焦点距離に対して、バックフォーカスが小さくなり、投射用ズームレンズと照明ボックスのレイアウトが困難になりやすい。
【００３１】
特に、実施例に示すような「３４度を超える広画角の領域」では前記レイアウトの困難性が大きい。
【００３２】
ライトバルブとして３枚の液晶パネルを用いるような場合でも、色合成プリズムの配置のために大きなバックフォーカスが必要となるので、レイアウトの困難性は同様である。
【００３３】
条件（２）は、「光学性能が良好で大きなバックフォーカス」を両立させるための条件である。
【００３４】
条件（２）の下限を超えると、より大きなバックフォーカスを得ることができるが、第１レンズ群の屈折力が大きくなり、像面湾曲が大きく発生しがちになる為望ましくない。
【００３５】
条件（２）の上限を超えると、像面湾曲、コマ収差は良好になるが、バックフォーカスが小さくなるため、望ましくない。
【００３６】
この発明の投射用ズームレンズは、上述した構成に加えて下記条件（３）〜（６）の１以上を満足させることにより、さらに良好な性能を実現できる。
【００３７】
（３）  ０．８  ＜  ｜Ｆｗ１−２｜／Ｄ２Ｇ−３Ｇ  ＜  ２．０
（４）  ０．３５  ＜  Ｆ３ｏ４／Ｆｗ  ＜  ０．７０
（５）  ４．０  ＜  ＯＡＬ／Ｂｆ  ＜  ５．０  
（６）  ０．４  ＜  Ｄ５／Ｂｆ    ＜０．６  
条件（３）〜（６）におけるパラメータの各記号は以下の通りである。
【００３８】
「Ｆｗ１−２」は、第１レンズ群と第２レンズ群の広角端の合成焦点距離である。
【００３９】
「Ｄ２Ｇ−３Ｇ」は、広角端での第２レンズ群の最も縮小側の面から第３レンズ群の最も拡大側の面までの距離である。
【００４０】
「Ｆ３ｏ４」は、第３レンズ群、または第４レンズ群の屈折力の強いレンズ群の焦点距離である。「Ｆｗ」は、広角端における焦点距離である。
【００４１】
「ＯＡＬ」は、第１レンズ群の最も拡大側のレンズ面から画像表示素子までの距離である。「Ｂｆ」は、バックフォーカスである。
【００４２】
また「Ｄ５」は、第５レンズ群の最も縮小側のレンズの有効径である。  
条件（３）は、「光学性能が良好で広角端の短い焦点距離」を実現させるために有効な条件である。
【００４３】
条件（３）の下限を超えると、より短い焦点距離を達成できるが、像面湾曲とコマ収差が過大に成り易い。
【００４４】
条件（３）の上限を超えると、像面湾曲、コマ収差は良好になるが、短い焦点距離を達成できなく成り易い。
【００４５】
条件（４）は、「コンパクト性と大きなバックフォーカス」を両立させるための条件である。第３レンズ群または第４レンズ群の正レンズ群はバリエータとしての役割がある。
【００４６】
条件（４）の下限を超えると、第３レンズ群または第４レンズ群の屈折力が大きくなり、バックフォーカスが短く成り易い。
【００４７】
条件（４）の上限を超えると、バックフォーカスは大きくなるが、コンパクト性に欠けるレンズと成り易い。
【００４８】
条件（５）は、「コンパクト性と大きなバックフォーカス」を両立させる条件である。
【００４９】
条件（５）の下限を超えると、第１レンズ群〜第５レンズ群の屈折力（絶対値）が大きくなり、変倍に際して「像面湾曲とコマ収差」を良好に保つことが困難となりやすい。
【００５０】
条件（５）の上限を超えると、各レンズ群の屈折力が小さくなり、レンズ全長が大きくなり、コンパクト性の確保が困難と成り易い。
【００５１】
条件（６）は、バックフォーカスと「最も縮小側のレンズのレンズ径」のサイズを最適化させた条件である。
【００５２】
照明ボックスや液晶パネル等の、画像表示素子に関連した構成物と投射用ズームレンズとのレイアウトの容易性に関する条件である。
【００５３】
条件（６）が満足されると、照明ボックスや色合成プリズム等と投射用ズームレンズのレイアウトが容易である。
【００５４】
条件（６）の範囲外では、前記レイアウトが困難と成り易い。
第４レンズ群の屈折力を「負」として投射用ズームレンズを構成する場合、上記の条件（１）、（２）の範囲のうち、以下の条件：
（１Ａ）  ２．６８  ≦  Ｂｆ／Ｆｗ
（２Ａ）  ３．２    ＜  ｜Ｆ１｜／Fｗ  ＜  ３．５  
を満足するのがよい。
この場合には、以下の条件（３Ａ）乃至（６Ａ）の１以上を満足するのがよい。これら条件（１Ａ）乃至（６Ａ）は条件（１）乃至（６）の範囲内である。
（３Ａ）  ０．９  ＜  ｜Ｆｗ１−２｜／Ｄ２Ｇ−３Ｇ  ＜  １．１
（４Ａ）  ０．５  ＜  Ｆ３ｏ４／Ｆｗ  ＜  ０．６  
（５Ａ）  ４．９０  ＜  ＯＡＬ／Ｂｆ  ＜  ４．９５    
（６Ａ）  ０．５  ＜  Ｄ５／Ｂｆ    ＜０．６                  。
条件（３Ａ）乃至（６Ａ）のパラメータは、条件（３）乃至（６）のパラメータと同一である。
第４レンズ群を負群として投射用ズームレンズを構成する場合には、条件（１Ａ）および（２Ａ）満足させ、さらには、条件（３Ａ）乃至（６Ａ）の１以上を満足させることにより、条件（１）乃至（６）の果たす役割を、同様に機能させることができる。
第４レンズ群の屈折力を「正」として投射用ズームレンズを構成する場合、上記の条件（１）、（２）の範囲のうち、以下の条件：
（１Ｂ）  １．９  ≦  Ｂｆ／Ｆｗ
（２Ｂ）  １．２    ＜  ｜Ｆ１｜／Fｗ  ＜  ２．１
を満足するのがよい。
この場合には、以下の条件（３Ｂ）乃至（６Ｂ）の１以上を満足するのがよい。これら条件（１Ｂ）乃至（６Ｂ）は条件（１）乃至（６）の範囲内である。
（３Ｂ）  ０．８  ＜  ｜Ｆｗ１−２｜／Ｄ２Ｇ−３Ｇ  ＜  １．５
（４Ｂ）  ０．３５  ＜  Ｆ３ｏ４／Ｆｗ  ＜  ０．７０
（５Ｂ）  ４．０  ＜  ＯＡＬ／Ｂｆ  ＜  ４．７  
（６Ｂ）  ０．４  ＜  Ｄ５／Ｂｆ    ＜０．６                    。
条件（３Ｂ）乃至（６Ｂ）の各パラメータは、条件（３）乃至（６）のパラメータと同一である。
第４レンズ群を正群として投射用ズームレンズを構成する場合には、条件（１Ｂ）および（２Ｂ）満足させ、さらには、条件（３Ｂ）乃至（６Ｂ）の１以上を満足させることにより、条件（１）乃至（６）の果たす役割を、同様に機能させることができる。
【００５５】
ズームレンズの具体的な実施例を挙げる前に、図２９を参照して、プロジェクタ装置の１形態を簡単に説明する。
【００５６】
図２９に示すプロジェクタ装置１は、ライトバルブ３として、微小ミラーデバイスであるＤＭＤを採用した例である。
【００５７】
プロジェクタ装置１は、照明系２と、ライトバルブであるＤＭＤ３と、投射用ズームレンズ４とを有する。照明系２は上に「照明ボックス」と記載したものの１例である。
【００５８】
投射用ズームレンズ４としては、請求項１〜９の任意の１に記載されたもの、具体的には実施例１〜１４の何れかのものを用いる。
【００５９】
照明系２から「ＲＧＢ３色の光」を時間的に分離してＤＭＤ３に照射し、各色光が照射されるタイミングで個々の画素に対応するマイクロミラーの傾斜を制御する。
【００６０】
このようにしてＤＭＤ３に「投射されるべき画像」が表示され、該画像により強度変調された光が、投射用ズームレンズ４で拡大され、スクリーン５に拡大投射される。
【００６１】
マイクロミラーの傾斜角は±１０度程度となっており、傾斜角の切換により、有効な反射光（有効光）と無効な反射光（無効光）を切り替える。  
微小ミラーデバイスをライトバルブとして用いる場合、投射用ズームレンズは、上記有効光を良好に取り込むとともに、無効光を出来る限り取り込まないことが必要である。
【００６２】
この必要性に応じるために、投射用ズームレンズは「マイクロミラーをアレイ配列した画像表示面の法線方向」に配置されるのが好ましい。
【００６３】
このような投射用ズームレンズの配置では、照明系の光源を、投射用ズームレンズに隣接させて設置する必要がある。
【００６４】
このため、投射用ズームレンズの縮小側部分が、画像表示面に対して照明光を遮光しないように、投射用ズームレンズのライトバルブ側のレンズ径を小さくする必要がある。
【００６５】
照明系２は、光源２１、コンデンサーレンズＣＬ、ＲＧＢカラーホイールＣＷ、ミラーＭを備えており、これを配置するスペースを「ある程度大きく確保」する必要がある。
【００６６】
このため、照明系２からＤＭＤ３に入射させる照明光の入射角をある程度大きくする必要がある。  
投射用ズームレンズ４と照明系２のスペースの上記の如き関係上、投射用ズームレンズ４のバックフォーカスをある程度確保する必要がある。
【００６７】
照明系２は、光源２１、コンデンサーレンズＣＬ、ＲＧＢカラーホイールＣＷ、ミラーＭを備えており、これを配置するスペースを「ある程度大きく確保」する必要がある。
【００６８】
このため、照明系２からＤＭＤ３に入射させる照明光の入射角をある程度大きくする必要がある。  
投射用ズームレンズ４と照明系２のスペースの前記の如き関係上、ズームレンズ４のバックフォーカスをある程度確保する必要がある。
【００６９】
なお、コンデンサーレンズＣＬ、ＲＧＢカラーホイールＣＷとミラーＭとは「照明光学系」を構成する。
【００７０】
実施例１〜１４の投射用ズームレンズでは、広角端から望遠端への変倍に際して、第３レンズ群Ｇ３〜第５レンズ群Ｇ５が拡大側に移動する。  
従って、変倍中においてもバックフォーカスは十分に大きく確保される。
【実施例】
【００７１】
以下に、この発明の投射用ズームレンズの具体的な実施例を１４例挙げる。
【００７２】
各実施例における記号の意味は以下の通りである。
Ｆ：光学系全体の焦点距離  
Ｆｎｏ：開口数
Ｒ：曲率半径（非球面にあっては「近軸曲率半径」）
Ｄ：面間隔
Ｎｄ：屈折率
Ｖｄ：アッベ数  
ＢＦ：バックフォーカス                                  。
【００７３】
非球面は、周知の次式により表される。
【００７４】
Ｘ＝(Ｈ２／Ｒ)／[１＋{１−Ｋ(Ｈ／ｒ)２}１／２］  
＋Ｃ４・Ｈ４＋Ｃ６・Ｈ６＋Ｃ８・Ｈ８＋Ｃ１０・Ｈ１０＋・・・          。
【００７５】
この式において、Ｘは「面頂点を基準としたときの光軸からの高さＨの位置での光軸方向の変位」、Ｋは「円錐係数」、Ｃ４、Ｃ６、Ｃ８、Ｃ１０・・は非球面係数である。
【００７６】
「実施例１」
実施例１の投射用ズームレンズは、図１に示したものである。
【００７７】
図１に示すように、第１レンズ群Ｇ１はレンズＬ１１〜Ｌ１３で構成され、第２レンズ群Ｇ２はレンズＬ２１〜Ｌ２４で構成されている。
【００７８】
第３レンズ群Ｇ３は１枚のレンズＬ３１で構成され，第４レンズ群Ｇ４は２枚のレンズＬ４１とＬ４２で構成されている。
【００７９】
第５レンズ群Ｇ５は４枚のレンズＬ５１〜Ｌ５４で構成されている。
【００８０】
前述の如く、ライトバルブとしてはＤＭＤが想定され、ＤＭＤはカバーガラスＣＧを有する。
【００８１】
広角端から望遠端への変倍に際して、第２レンズ群Ｇ２は縮小側に移動し、第３レンズ群Ｇ３〜第５レンズ群Ｇ５は拡大側に移動する。
【００８２】
第１レンズ群Ｇ１は負群で、拡大側に凸の負メニスカスレンズＬ１１、拡大側に凹面を向けた負レンズＬ１２、縮小側に凹の負メニスカスレンズＬ１３で構成されている。
【００８３】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【００８４】
正メニスカスレンズＬ２３と負メニスカスレンズＬ２４は接合されている。
【００８５】
第３レンズ群Ｇ３は正群で、１枚の両凸レンズＬ３１で構成されている。  
第４レンズ群Ｇ４は正群で、拡大側に凸の正メニスカスレンズＬ４１、拡大側に凸の正メニスカスレンズＬ４２で構成されている。
【００８６】
第５レンズ群Ｇ５は負群で、拡大側に凸の負メニスカスレンズＬ５１、両凸レンズＬ５２、拡大側に凹の負メニスカスレンズＬ５３、両凸レンズＬ５４で構成されている（負−正−負−正）。
【００８７】
負メニスカスレンズＬ５１と両凸レンズＬ５２とは接合されている。
【００８８】
なお、実施例１〜１４に関する説明において、「両凸レンズ」は正レンズの１形態であり、「両凹レンズ」は負レンズの１形態である。
【００８９】
実施例１の、全系の焦点距離：Ｆの範囲、Ｆナンバ、広角端における半画角：ωｗは、以下のとおりである。
【００９０】
Ｆ＝１３．０〜１９．６ｍｍ、Ｆｎｏ＝２．５５〜３．３４、ωｗ＝４２．１°
実施例のデータを表１に示す。
【００９１】
【表１】
2014142596.tif 000003
【００９２】
表１において、面番号は拡大側から数えた面の番号であり、開口絞りの面（表中の面番号：２０）、カバーガラスＣＧの面（表中の面番号：２８、２９）を含む。
【００９３】
また、表中における「INF」は、曲率半径が無限大であることを示す。さらに、「＊」は、この記号が付された面が「非球面」であることを示す。
【００９４】
これらの事項は、実施例２以下の各実施例においても同様である。
【００９５】
「非球面のデータ」
非球面のデータを表２に示す。
【００９６】
【表２】
2014142596.tif 000004
【００９７】
表１において、Ｓ６、Ｓ１３、Ｓ１５、Ｓ２０は、変倍に際して変化するレンズ群間隔を表す。
【００９８】
投射距離を１６００ｍｍとしたときの、前記レンズ群間隔を、広角端・中間・望遠端について、表３に示す。
【００９９】
【表３】
2014142596.tif 000005
【０１００】
「各条件のパラメータの値」
条件（１）〜（６）のパラメータの値を、表４に示す。
【０１０１】
【表４】
2014142596.tif 000006
【０１０２】
図２に、実施例１の収差図を示す。  
図２の上段は「広角端（広角と表示）」、中段は「中間焦点距離（中間と表示）、下段は「望遠端（望遠と表示）」の収差を示している。
【０１０３】
各段の収差図において、左側の図は「球面収差」、中央の図は「非点収差」、右側の図は「歪曲収差」である。
【０１０４】
「球面収差」の図におけるＲ、Ｇ、Ｂはそれぞれ、波長：Ｒ＝６２５ｎｍ、Ｇ＝５５０ｎｍ、Ｂ＝４６０ｎｍを表す。  
「非点収差」の図における「Ｔ」はタンジェンシアル、「Ｓ」はサジタルの各光線に対するものであることを示す。
【０１０５】
なお、非点収差および歪曲収差については、波長：５５０ｎｍについて示す。
【０１０６】
収差図におけるこれ等の表示は以下の実施例２〜１４の収差図においても同様である。
【０１０７】
「実施例２」
実施例２の投射用ズームレンズは、図３に示したものである。
【０１０８】
図３に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０１０９】
広角端から望遠端への変倍に際して、第２レンズ群Ｇ２は縮小側に移動し、第３レンズ群Ｇ３〜第５レンズ群Ｇ５は拡大側に移動する。
【０１１０】
第１レンズ群Ｇ１は負群で、拡大側に凸の負メニスカスレンズＬ１１、拡大側に凹面の負レンズＬ１２、縮小側に凹の負メニスカスレンズＬ１３から構成されている。
【０１１１】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０１１２】
正メニスカスレンズＬ３２と負メニスカスレンズＬ２４は接合されている。
【０１１３】
第３レンズ群Ｇ３は正群で、１枚の両凸レンズＬ３１で構成されている。
【０１１４】
第４レンズ群Ｇ４は正群で、拡大側に凸の正メニスカスレンズＬ４１、拡大側の凸面の曲率が大きい両凸レンズＬ４２で構成されている。
【０１１５】
第５レンズ群Ｇ５は負群で、両凹レンズＬ５１、両凸レンズＬ５２、拡大側に凹の負メニスカスレンズＬ５３、両凸レンズＬ５４で構成されている。
【０１１６】
両凹レンズＬ５１と両凸レンズＬ５２は接合されている。
【０１１７】
実施例２の、全系の焦点距離：Ｆの範囲、Ｆナンバ、広角端における半画角：ωｗは、以下のとおりである。
【０１１８】
Ｆ＝１３．０〜１９．６ｍｍ、Ｆｎｏ＝２．５５〜３．３４、ωｗ＝４２．１°
実施例２のデータを表５に示す。
【０１１９】
【表５】
2014142596.tif 000007
【０１２０】
「非球面のデータ」
非球面のデータを表６に示す。
【０１２１】
【表６】
2014142596.tif 000008
【０１２２】
投射距離を１６００ｍｍとしたときの、レンズ群間隔：Ｓ６、Ｓ１３、Ｓ１５、Ｓ２０を、広角端・中間・望遠端について、表７に示す。
【０１２３】
【表７】
2014142596.tif 000009
【０１２４】
「各条件のパラメータの値」
条件（１）〜（６）のパラメータの値を、表８に示す。
【０１２５】
【表８】
2014142596.tif 000010
【０１２６】
図４に、実施例２の収差図を図２に倣って示す。
【０１２７】
「実施例３」
実施例３の投射用ズームレンズは、図５に示したものである。
【０１２８】
図５に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３はレンズＬ３１で構成され、第４レンズ群Ｇ４はレンズＬ４１とＬ４２で構成され、第５レンズ群Ｇ５はレンズＬ５１〜Ｌ５４で構成されている。
【０１２９】
広角端から望遠端への変倍に際して、第２レンズ群Ｇ２は縮小側に移動し、第３レンズ群Ｇ３〜第５レンズ群Ｇ５は拡大側に移動する。
【０１３０】
第１レンズ群Ｇ１は負群で、拡大側に凸の負メニスカスレンズＬ１１、拡大側に凹面の負レンズＬ１２、縮小側に凹面の負メニスカスレンズＬ１３で構成されている。
【０１３１】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０１３２】
正メニスカスレンズＬ２３と負メニスカスレンズＬ２４は接合されている。
【０１３３】
第３レンズ群Ｇ３は正群で、１枚の両凸レンズＬ３１で構成されている。
【０１３４】
第４レンズ群Ｇ４は正群で、拡大側に凸の正メニスカスレンズＬ４１、両凸レンズＬ４２で構成されている。
【０１３５】
第５レンズ群Ｇ５は負群で、拡大側に凸の負メニスカスレンズＬ５１、両凸レンズＬ５２、拡大側に凹の負メニスカスレンズＬ５３、両凸レンズＬ５４で構成されている。
【０１３６】
負メニスカスレンズＬ５１と両凸レンズＬ５２は接合されている。
【０１３７】
実施例３の、全系の焦点距離：Ｆの範囲、Ｆナンバ、広角端における半画角：ωｗは、以下のとおりである。
【０１３８】
Ｆ＝１３．０〜１９．６ｍｍ、Ｆｎｏ＝２．５５〜３．３４、ωｗ＝４２．１°
実施例３のデータを表９に示す。
【０１３９】
【表９】
2014142596.tif 000011
【０１４０】
「非球面のデータ」
非球面のデータを表１０に示す。
【０１４１】
【表１０】
2014142596.tif 000012
【０１４２】
投射距離を１６００ｍｍとしたときの、レンズ群間隔：Ｓ６、Ｓ１３、Ｓ１５、Ｓ２０を、広角端・中間・望遠端について、表１１に示す。
【０１４３】
【表１１】
2014142596.tif 000013
【０１４４】
「各条件のパラメータの値」
条件（１）〜（６）のパラメータの値を、表１２に示す。
【０１４５】
【表１２】
2014142596.tif 000014
【０１４６】
図６に、実施例３の収差図を図２に倣って示す。
【０１４７】
「実施例４」
実施例４の投射用ズームレンズは、図７に示したものである。
【０１４８】
図７に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３はレンズＬ３１とＬ３２で構成され、第４レンズ群Ｇ４はレンズＬ４１で構成され、第５レンズ群Ｇ５はレンズＬ５１〜Ｌ５４で構成されている。
【０１４９】
広角端から望遠端への変倍に際して、第２レンズ群Ｇ２は縮小側に移動し、第３レンズ群Ｇ３〜第５レンズ群Ｇ５は拡大側に移動する。
【０１５０】
第１レンズ群Ｇ１は負群で、拡大側に凸の負メニスカスレンズＬ１１、拡大側に凹の負メニスカスレンズＬ１２、縮小側に凹の負メニスカスレンズＬ１３で構成されている。
【０１５１】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。  
正メニスカスレンズＬ２３と負メニスカスレンズＬ２４は接合されている。
【０１５２】
第３レンズ群Ｇ３は正群で、両凸レンズＬ３１、拡大側に凸の正メニスカスレンズＬ３２で構成されている。
【０１５３】
第４レンズ群Ｇ４は正群で、両凸レンズＬ４１で構成されている。
【０１５４】
第５レンズ群Ｇ５は負群で、縮小側に凹の負メニスカスレンズＬ５１、両凸レンズＬ５２、拡大側に凹の負メニスカスレンズＬ５３、両凸レンズＬ５４で構成されている。
【０１５５】
負メニスカスレンズＬ５１と両凸レンズＬ５２は接合されている。
【０１５６】
実施例４の、全系の焦点距離：Ｆの範囲、Ｆナンバ、広角端における半画角：ωｗは、以下のとおりである。
【０１５７】
Ｆ＝１３．０〜１９．６ｍｍ、Ｆｎｏ＝２．５５〜３．３４、ωｗ＝４２．１°
実施例４のデータを表１３に示す。
【０１５８】
【表１３】
2014142596.tif 000015
【０１５９】
「非球面のデータ」
非球面のデータを表１４に示す。
【０１６０】
【表１４】
2014142596.tif 000016
【０１６１】
投射距離を１６００ｍｍとしたときの、レンズ群間隔：Ｓ６、Ｓ１３、Ｓ１７、Ｓ２０を、広角端・中間・望遠端について、表１５に示す。
【０１６２】
【表１５】
2014142596.tif 000017
【０１６３】
「各条件のパラメータの値」
条件（１）〜（４）のパラメータの値を、表１６に示す。
【０１６４】
【表１６】
2014142596.tif 000018
【０１６５】
図８に、実施例４の収差図を図２に倣って示す。
【０１６６】
「実施例５」
実施例５の投射用ズームレンズは、図９に示したものである。
【０１６７】
図９に示すように、第１レンズ群Ｇ１はレンズＬ１１〜Ｌ１３で構成され、第２レンズ群Ｇ２はレンズＬ２１〜Ｌ２４で構成されている。
【０１６８】
第３レンズ群Ｇ３は１枚のレンズＬ３１で構成され、第４レンズ群Ｇ４は１枚のレンズＬ４１で構成され、第５レンズ群Ｇ５はレンズＬ５１〜Ｌ５４で構成されている。
【０１６９】
広角端から望遠端への変倍に際して、第２レンズ群Ｇ２は縮小側に移動し、第３レンズ群Ｇ３〜第５レンズ群Ｇ５は拡大側に移動する。
【０１７０】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０１７１】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。  
正メニスカスレンズＬ２３と負メニスカスレンズＬ２４は接合されている。
【０１７２】
第３レンズ群Ｇ３は正群で、１枚の両凸レンズＬ３１で構成されている。
【０１７３】
第４レンズ群Ｇ４は正群で、１枚の両凸レンズＬ４１で構成されている。
【０１７４】
第５レンズ群Ｇ５は負群で、両凹レンズＬ５１、両凸レンズＬ５２、拡大側に凹の負メニスカスレンズＬ５３、両凸レンズＬ５４で構成されている。
【０１７５】
両凸レンズＬ５１と両凹レンズＬ５２は接合されている。
【０１７６】
実施例４の、全系の焦点距離：Ｆの範囲、Ｆナンバ、広角端における半画角：ωｗは、以下のとおりである。
【０１７７】
Ｆ＝１３．０〜１９．６ｍｍ、Ｆｎｏ＝２．５５〜３．３５、ωｗ＝４２．１°
実施例５のデータを表１７に示す。
【０１７８】
【表１７】
2014142596.tif 000019
【０１７９】
「非球面のデータ」
非球面のデータを表１８に示す。
【０１８０】
【表１８】
2014142596.tif 000020
【０１８１】
投射距離を１６００ｍｍとしたときの、レンズ群間隔：Ｓ６、Ｓ１３、Ｓ１５、Ｓ１８を、広角端・中間・望遠端について、表１９に示す。
【０１８２】
【表１９】
2014142596.tif 000021
【０１８３】
「各条件のパラメータの値」
条件（１）〜（６）のパラメータの値を、表２０に示す。
【０１８４】
【表２０】
2014142596.tif 000022
【０１８５】
図１０に、実施例５の収差図を図２に倣って示す。
【０１８６】
「実施例６」
実施例６の投射用ズームレンズは、図１１に示したものである。
【０１８７】
図１１に示すように、第１レンズ群Ｇ１はレンズＬ１１〜Ｌ１３で構成され、第２レンズ群Ｇ２はレンズＬ２１〜Ｌ２４で構成されている。
【０１８８】
第３レンズ群Ｇ３は１枚のレンズＬ３１で構成され、第４レンズ群Ｇ４はＬ４１とＬ４２で構成され、第５レンズ群Ｇ５はレンズＬ５１〜Ｌ５４で構成されている。
【０１８９】
広角端から望遠端への変倍に際して、第２レンズ群Ｇ２は縮小側に移動し、第３レンズ群Ｇ３〜第５レンズ群Ｇ５は拡大側に移動する。
【０１９０】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０１９１】
第２レンズ群Ｇ２は負群で、両凸レンズＬ２１、縮小側に凹の負メニスカスレンズＬ２２、正メニスカスレンズＬ２３、負メニスカスレンズＬ２４で構成されている。
【０１９２】
正メニスカスレンズＬ２３は「縮小側に凸」、負メニスカスレンズＬ２４は「拡大側に凹」であり、これ等正負のメニスカスレンズＬ２３、Ｌ２４は接合されている。
【０１９３】
第３レンズ群Ｇ３は正群で、１枚の両凸レンズＬ３１で構成されている。
【０１９４】
第４レンズ群Ｇ４は正群で、拡大側に凸の正メニスカスレンズＬ４１、両凸レンズＬ４２で構成されている。
【０１９５】
第５レンズ群Ｇ５は正群で、両凹レンズＬ５１、両凸レンズＬ５２、拡大側に凹の負メニスカスレンズＬ５３、両凸レンズＬ５４で構成されている。
【０１９６】
両凹レンズＬ５１と両凸レンズＬ５２は接合されている。
【０１９７】
実施例６の、全系の焦点距離：Ｆの範囲、Ｆナンバ、広角端における半画角：ωｗは、以下のとおりである。
【０１９８】
Ｆ＝１３．０〜１９．６ｍｍ、Ｆｎｏ＝２．５８〜３．２４、ωｗ＝４２．１°
実施例６のデータを表２１に示す。
【０１９９】
【表２１】
2014142596.tif 000023
【０２００】
「非球面のデータ」
非球面のデータを表２２に示す。
【０２０１】
【表２２】
2014142596.tif 000024
【０２０２】
投射距離を１６００ｍｍとしたときの、レンズ群間隔：Ｓ６、Ｓ１３、Ｓ１５、Ｓ２０を、広角端・中間・望遠端について、表２３に示す。
【０２０３】
【表２３】
2014142596.tif 000025
【０２０４】
「各条件のパラメータの値」
条件（１）〜（６）のパラメータの値を、表２４に示す。
【０２０５】
【表２４】
2014142596.tif 000026
【０２０６】
図１２に、実施例６の収差図を図２に倣って示す。
【０２０７】
「実施例７」
実施例７の投射用ズームレンズは、図１３に示したものである。
【０２０８】
図１３に示すように、第１レンズ群Ｇ１はレンズＬ１１〜Ｌ１３で構成され、第２レンズ群Ｇ２はレンズＬ２１〜Ｌ２４で構成されている。
【０２０９】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２１０】
広角端から望遠端への変倍に際して、第２レンズ群Ｇ２は縮小側に移動し、第３レンズ群Ｇ３〜第５レンズ群Ｇ５は拡大側に移動する。
【０２１１】
第１レンズ群Ｇ１は負群で、拡大側に凸の負メニスカスレンズＬ１１、拡大側に凹面の負レンズＬ１２、縮小側に凹面の負メニスカスレンズＬ１３で構成されている。
【０２１２】
第２レンズ群Ｇ２は負群で、両凸レンズＬ２１、縮小側に凹の負メニスカスレンズＬ２２、正メニスカスレンズＬ２３、負メニスカスレンズＬ２４で構成されている。
【０２１３】
正メニスカスレンズＬ２３は「縮小側に凸」、負メニスカスレンズＬ２４は拡大側に凹であり、これら正負のメニスカスレンズＬ２３、Ｌ２４は接合されている。
【０２１４】
第３レンズ群Ｇ３は正群で、１枚の両凸レンズＬ３１で構成されている。
【０２１５】
第４レンズ群Ｇ４は正群で、拡大側に凸の正メニスカスレンズＬ４１、両凸レンズＬ４２で構成されている。
【０２１６】
第５レンズ群Ｇ５は正群で、両凹レンズＬ５１、両凸レンズＬ５２、拡大側に凹の負メニスカスレンズＬ５３、両凸レンズＬ５４で構成されている。
【０２１７】
両凹レンズＬ５１と両凸レンズＬ５２は接合されている。
【０２１８】
実施例７の、全系の焦点距離：Ｆの範囲、Ｆナンバ、広角端における半画角：ωｗは、以下のとおりである。
【０２１９】
Ｆ＝１３．０〜１９．６ｍｍ、Ｆｎｏ＝２．５８〜３．２４、ωｗ＝４２．１°
実施例７のデータを表２５に示す。
【０２２０】
【表２５】
2014142596.tif 000027
【０２２１】
「非球面のデータ」
非球面のデータを表２６に示す。
【０２２２】
【表２６】
2014142596.tif 000028
【０２２３】
投射距離を１６００ｍｍとしたときの、レンズ群間隔：Ｓ６、Ｓ１３、Ｓ１５、Ｓ２０を、広角端・中間・望遠端について、表２７に示す。
【０２２４】
【表２７】
2014142596.tif 000029
【０２２５】
「各条件のパラメータの値」
条件（１）〜（６）のパラメータの値を、表２８に示す。
【０２２６】
【表２８】
2014142596.tif 000030
【０２２７】
図１４に、実施例７の収差図を図２に倣って示す。
【０２２８】
実施例８の投射用ズームレンズは、図１５に示したものである。
【０２２９】
図１５に示すように、第１レンズ群Ｇ１はレンズＬ１１〜Ｌ１３で構成され、第２レンズ群Ｇ２はレンズＬ２１〜Ｌ２４で構成されている。  
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２３０】
広角端から望遠端への変倍に際して、第２レンズ群Ｇ２は縮小側に移動し、第３レンズ群Ｇ３〜第５レンズ群Ｇ５は拡大側に移動する。
【０２３１】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２３２】
第２レンズ群Ｇ２は負群で、両凸レンズＬ２１、両凹レンズＬ２２、縮小側に凸面の正メニスカスレンズＬ２３、拡大側に凹の負メニスカスレンズＬ２４で構成されている。
【０２３３】
正メニスカスレンズＬ２３と負メニスカスレンズＬ２４は接合されている。
【０２３４】
第３レンズ群Ｇ３は正群で、１枚の両凸レンズＬ３１で構成されている。
【０２３５】
第４レンズ群Ｇ４は正群で、拡大側に凸の正メニスカスレンズＬ４１、両凸レンズＬ４２で構成されている。
【０２３６】
第５レンズ群Ｇ５は負群で、拡大側に凸の負メニスカスレンズＬ５１、両凸レンズＬ５２、拡大側に凹の負メニスカスレンズＬ５３、両凸レンズＬ５４で構成されている。
【０２３７】
負メニスカスレンズＬ５１と両凸レンズＬ５２は接合されている。  
第５レンズ群Ｇ５の屈折力は負であるが、この負の屈折力は弱い。
【０２３８】
実施例８の、全系の焦点距離：Ｆの範囲、Ｆナンバ、広角端における半画角：ωｗは、以下のとおりである。
【０２３９】
Ｆ＝１４．２〜２１．１ｍｍ、Ｆｎｏ＝２．５５〜３．３４、ωｗ＝３９．６°
実施例８のデータを表２９に示す。
【０２４０】
【表２９】
2014142596.tif 000031
【０２４１】
「非球面のデータ」
非球面のデータを表３０に示す。
【０２４２】
【表３０】
2014142596.tif 000032
【０２４３】
投射距離を１６００ｍｍとしたときの、レンズ群間隔：Ｓ６、Ｓ１３、Ｓ１５、Ｓ２０を、広角端・中間・望遠端について、表３１に示す。
【０２４４】
【表３１】
2014142596.tif 000033
【０２４５】
「各条件のパラメータの値」
条件（１）〜（６）のパラメータの値を、表３２に示す。
【０２４６】
【表３２】
2014142596.tif 000034
【０２４７】
図１６に、実施例８の収差図を図２に倣って示す。
【０２４８】
「実施例９」
実施例９の投射用ズームレンズは、図１７に示したものである。
【０２４９】
図１に示すように、第１レンズ群Ｇ１はレンズＬ１１〜Ｌ１３で構成され、第２レンズ群Ｇ２はレンズＬ２１〜Ｌ２４で構成されている。
【０２５０】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２５１】
広角端から望遠端への変倍に際して、第２レンズ群Ｇ２は縮小側に移動し、第３レンズ群Ｇ３〜第５レンズ群Ｇ５は拡大側に移動する。
【０２５２】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２５３】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０２５４】
正メニスカスレンズＬ２３と負メニスカスレンズＬ２４は接合されている。
【０２５５】
第３レンズ群Ｇ３は正群で、１枚の両凸レンズＬ３１で構成されている。
【０２５６】
第４レンズ群Ｇ４は正群で、拡大側に凸の正メニスカスレンズＬ４１、両凸レンズＬ４２で構成されている。
【０２５７】
第５レンズ群Ｇ５は屈折力の弱い負群で、拡大側に凸の負メニスカスレンズＬ５１、両凸レンズＬ５２、負メニスカスレンズＬ５３、両凸レンズＬ５４で構成されている。
【０２５８】
負メニスカスレンズＬ５３は「拡大側に凹」である。負メニスカスレンズＬ５１と両凸レンズＬ５２は接合されている。
【０２５９】
実施例９の、全系の焦点距離：Ｆの範囲、Ｆナンバ、広角端における半画角：ωｗは、以下のとおりである。
【０２６０】
Ｆ＝１３．８〜２０．５ｍｍ、Ｆｎｏ＝２．５５〜３．３４、ωｗ＝４０．４°
実施例９のデータを表３３に示す。
【０２６１】
【表３３】
2014142596.tif 000035
【０２６２】
「非球面のデータ」
非球面のデータを表３４に示す。
【０２６３】
【表３４】
2014142596.tif 000036
【０２６４】
投射距離を１６００ｍｍとしたときの、レンズ群間隔：Ｓ６、Ｓ１３、Ｓ１５、Ｓ２０を、広角端・中間・望遠端について、表３５に示す。
【０２６５】
【表３５】
2014142596.tif 000037
【０２６６】
「各条件のパラメータの値」
条件（１）〜（６）のパラメータの値を、表３６に示す。
【０２６７】
【表３６】
2014142596.tif 000038
【０２６８】
図1８に、実施例９の収差図を図２に倣って示す。
【０２６９】
「実施例１０」
実施例１０の投射用ズームレンズは、図１９に示したものである。
【０２７０】
図１９に示すように、第１レンズ群Ｇ１はレンズＬ１１〜Ｌ１３で構成され、第２レンズ群Ｇ２はレンズＬ２１〜Ｌ２４で構成されている。
【０２７１】
第３レンズ群Ｇ３は1枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２７２】
広角端から望遠端への変倍に際して、第２レンズ群Ｇ２は縮小側に移動し、第３レンズ群Ｇ３〜第５レンズ群Ｇ５は拡大側に移動する。
【０２７３】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２７４】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０２７５】
正メニスカスレンズＬ２３と負メニスカスレンズＬ２４は接合されている。
【０２７６】
第３レンズ群Ｇ３は正群で、１枚の両凸レンズＬ３１で構成されている。
【０２７７】
第４レンズ群Ｇ４は正群で、拡大側に凸の正メニスカスレンズＬ４１、両凸レンズＬ４２で構成されている。
【０２７８】
第５レンズ群Ｇ５は屈折力の弱い負群で、拡大側に凸面の負メニスカスレンズＬ５１、両凸レンズＬ５２、負メニスカスレンズＬ５３、両凸レンズＬ５４で構成されている。
【０２７９】
負メニスカスレンズＬ５３は「拡大側に凹」であり、負メニスカスレンズＬ５１、両凸レンズＬ５２は接合されている。
【０２８０】
実施例１０の、全系の焦点距離：Ｆの範囲、Ｆナンバ、広角端における半画角：ωｗは、以下のとおりである。
【０２８１】
Ｆ＝１２．４〜１８．５ｍｍ、Ｆｎｏ＝２．５６〜３．３４、ωｗ＝４３．３°
実施例１０のデータを表３７に示す。
【０２８２】
【表３７】
2014142596.tif 000039
【０２８３】
「非球面のデータ」
非球面のデータを表３８に示す。
【０２８４】
【表３８】
2014142596.tif 000040
【０２８５】
投射距離を１６００ｍｍとしたときの、レンズ群間隔：Ｓ６、Ｓ１３、Ｓ１５、Ｓ２０を、広角端・中間・望遠端について、表３９に示す。
【０２８６】
【表３９】
2014142596.tif 000041
【０２８７】
「各条件のパラメータの値」
条件（１）〜（６）のパラメータの値を、表４０に示す。
【０２８８】
【表４０】
2014142596.tif 000042
【０２８９】
図２０に、実施例１０の収差図を図２に倣って示す。
【０２９０】
実施例１１の投射用ズームレンズは、図２１に示したものである。
【０２９１】
図２１に示すように、第１レンズ群Ｇ１はレンズＬ１１〜Ｌ１３で構成され、第２レンズ群Ｇ２はレンズＬ２１〜Ｌ２４で構成されている。
【０２９２】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０２９３】
広角端から望遠端への変倍に際して、第２レンズ群Ｇ２は縮小側に移動し、第３レンズ群Ｇ３〜第５レンズ群Ｇ５は拡大側に移動する。
【０２９４】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０２９５】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０２９６】
正メニスカスレンズＬ２３と負メニスカスレンズＬ２４は接合されている。
【０２９７】
第３レンズ群Ｇ３は正群で、１枚の両凸レンズＬ３１で構成されている。
【０２９８】
第４レンズ群Ｇ４は正群で、拡大側に凸の正メニスカスレンズＬ４１、両凸レンズＬ４２で構成されている。
【０２９９】
第５レンズ群Ｇ５は屈折力が弱い負群で、拡大側に凸の負メニスカスレンズＬ５１、両凸レンズＬ５２、負メニスカスレンズＬ５３、両凸レンズＬ５４で構成されている。
【０３００】
負メニスカスレンズＬ５３は「拡大側に凹」であり、負メニスカスレンズＬ５１と両凸レンズＬ５２は接合されている。
【０３０１】
実施例１１の、全系の焦点距離：Ｆの範囲、Ｆナンバ、広角端における半画角：ωｗは、以下のとおりである。
【０３０２】
Ｆ＝１１．８〜１７．６ｍｍ、Ｆｎｏ＝２．５６〜３．３４、ωｗ＝４４．８°
実施例１１のデータを表４１に示す。
【０３０３】
【表４１】
2014142596.tif 000043
【０３０４】
「非球面のデータ」
非球面のデータを表４２に示す。
【０３０５】
【表４２】
2014142596.tif 000044
【０３０６】
投射距離を１６００ｍｍとしたときの、レンズ群間隔：Ｓ６、Ｓ１３、Ｓ１５、Ｓ２０を、広角端・中間・望遠端について、表４３に示す。
【０３０７】
【表４３】
2014142596.tif 000045
【０３０８】
「各条件のパラメータの値」
条件（１）〜（６）のパラメータの値を、表４４に示す。
【０３０９】
【表４４】
2014142596.tif 000046
【０３１０】
図２２に、実施例１１の収差図を図２に倣って示す。
【０３１１】
「実施例１２」
実施例１２の投射用ズームレンズは、図２３に示したものである。
【０３１２】
図２３に示すように、第１レンズ群Ｇ１はレンズＬ１１とＬ１２で構成され、第２レンズ群Ｇ２はレンズＬ２１〜Ｌ２４で構成されている。
【０３１３】
第３レンズ群Ｇ３はレンズＬ３１とＬ３２で構成され、第４レンズ群Ｇ４はレンズＬ４１〜Ｌ４４で構成され、第５レンズ群Ｇ５は１枚のレンズＬ５１で構成されている。
【０３１４】
広角端から望遠端への変倍に際し、第２レンズ群Ｇ２は縮小側に移動し、第３レンズ群Ｇ３〜第５レンズ群Ｇ５は拡大側に移動する。
【０３１５】
第１レンズ群Ｇ１は負群で、拡大側に凸の負メニスカスレンズＬ１１、縮小側に凹面の負レンズＬ１２で構成されている。
【０３１６】
第２レンズ群Ｇ２は負群で、拡大側に凸の負メニスカスレンズＬ２１、拡大側に凸の正メニスカスレンズＬ２２、両凹レンズＬ２３、両凸レンズＬ２４で構成されている。
【０３１７】
負メニスカスレンズＬ２１と正メニスカスレンズＬ２２は接合されている。
【０３１８】
第３レンズ群Ｇ３は正群で、拡大側に凸の正メニスカスレンズＬ３１と両凸レンズＬ３２で構成されている。
【０３１９】
第４レンズ群Ｇ４は負群で、両凹レンズＬ４１、両凸レンズＬ４２、拡大側に凹の負メニスカスレンズＬ４３、両凸レンズＬ４４で構成されている。
【０３２０】
両凹レンズＬ４１と両凸レンズＬ４２は接合されている。
【０３２１】
第５レンズ群Ｇ５は負群で、拡大側に凹の１枚の負メニスカスレンズＬ５１で構成されている。
【０３２２】
実施例１２の、全系の焦点距離：Ｆの範囲、Ｆナンバ、広角端における半画角：ωｗは、以下のとおりである。
【０３２３】
Ｆ＝１２．３〜１７．９ｍｍ、Ｆｎｏ＝２．５６〜３．３４、ωｗ＝４３．６°
実施例１２のデータを表４５に示す。
【０３２４】
【表４５】
2014142596.tif 000047
【０３２５】
「非球面のデータ」
非球面のデータを表４６に示す。
【０３２６】
【表４６】
2014142596.tif 000048
【０３２７】
投射距離を１６００ｍｍとしたときの、レンズ群間隔：Ｓ４、Ｓ１１、Ｓ１６、Ｓ２３を、広角端・中間・望遠端について、表４７に示す。
【０３２８】
【表４７】
2014142596.tif 000049
【０３２９】
「各条件のパラメータの値」
条件（１）〜（６）のパラメータの値を、表４８に示す。
【０３３０】
【表４８】
2014142596.tif 000050
【０３３１】
図２４に、実施例１２の収差図を図２に倣って示す。
【０３３２】
「実施例１３」
実施例１３の投射用ズームレンズは、図２５に示したものである。
【０３３３】
図２５に示すように、第１レンズ群Ｇ１はレンズＬ１１とＬ１２で構成され、第２レンズ群Ｇ２はレンズＬ２１〜Ｌ２４で構成されている。
【０３３４】
第３レンズ群Ｇ３はレンズＬ３１とＬ３２で構成され、第４レンズ群Ｇ４はレンズＬ４１とＬ４２で構成され、第５レンズ群Ｇ５は１枚のレンズＬ５１で構成されている。
【０３３５】
広角端から望遠端への変倍に際して、第２レンズ群Ｇ２は縮小側に移動し、第３レンズ群Ｇ３〜第５レンズ群Ｇ５は拡大側に移動する。
【０３３６】
第１レンズ群Ｇ１は負群で、拡大側に凸の負メニスカスレンズＬ１１、縮小側に凹面の負レンズＬ１２で構成されている。
【０３３７】
第２レンズ群Ｇ２は負群で、拡大側に凸の負メニスカスレンズＬ２１、拡大側に凸の正メニスカスレンズＬ２２、両凹レンズＬ２３、両凸レンズＬ２４で構成されている。
【０３３８】
負メニスカスレンズＬ２１と正メニスカスレンズＬ２２は接合されている。
【０３３９】
第３レンズ群Ｇ３は正群で、拡大側に凸の正メニスカスレンズＬ３１、両凸レンズＬ３２で構成されている。
【０３４０】
第４レンズ群Ｇ４は負群で、両凹レンズＬ４１、両凸レンズＬ４２、拡大側に凹の負メニスカスレンズＬ４３、両凸レンズＬ４４で構成されている。
【０３４１】
両凹レンズＬ４１と両凸レンズＬ４２は接合されている。
【０３４２】
第５レンズ群Ｇ５は正群で、１枚の両凸レンズＬ５１で構成されている。
【０３４３】
実施例１３の、全系の焦点距離：Ｆの範囲、Ｆナンバ、広角端における半画角：ωｗは、以下のとおりである。
【０３４４】
Ｆ＝１２．３〜１７．９ｍｍ、Ｆｎｏ＝２．５６〜３．３４、ωｗ＝４３．６°  
実施例１３のデータを表４９に示す。
【０３４５】
【表４９】
2014142596.tif 000051
【０３４６】
「非球面のデータ」
非球面のデータを表５０に示す。
【０３４７】
【表５０】
2014142596.tif 000052
【０３４８】
投射距離を１６００ｍｍとしたときの、レンズ群間隔：Ｓ４、Ｓ１１、Ｓ１６、Ｓ２３を、広角端・中間・望遠端について、表５１に示す。
【０３４９】
【表５１】
2014142596.tif 000053
【０３５０】
「各条件のパラメータの値」
条件（１）〜（６）のパラメータの値を、表５２に示す。
【０３５１】
【表５２】
2014142596.tif 000054
【０３５２】
図２６に、実施例１３の収差図を図２に倣って示す。
【０３５３】
「実施例１４」
実施例１４の投射用ズームレンズは、図２７に示したものである。
【０３５４】
図２７に示すように、第１レンズ群Ｇ１はレンズＬ１１〜Ｌ１３で構成され、第２レンズ群Ｇ２はレンズＬ２１〜Ｌ２４で構成されている。
【０３５５】
第３レンズ群Ｇ３は１枚のレンズＬ３１で構成され、第４レンズ群Ｇ４はレンズＬ４１とＬ４２で構成され、第５レンズ群Ｇ５はレンズＬ５１〜Ｌ５４で構成されている。
【０３５６】
広角端から望遠端への変倍に際し、第２レンズ群Ｇ２は縮小側に移動し、第３レンズ群Ｇ３〜第５レンズ群Ｇ５は拡大側に移動する。
【０３５７】
第１レンズ群Ｇ１は負群で、拡大側に凸の負メニスカスレンズＬ１１、拡大側に凹面の負レンズＬ１２、縮小側に凹の負メニスカスレンズＬ１３で構成されている。
【０３５８】
第２レンズ群Ｇ２は負群で、両凸レンズＬ２１、両凹レンズＬ２２、縮小側に凸の正メニスカスレンズＬ２３、拡大側に凹の負メニスカスレンズＬ２４で構成されている。
【０３５９】
正メニスカスレンズＬ２３と負メニスカスレンズＬ２４は接合されている。
【０３６０】
第３レンズ群Ｇ３は正群で、１枚の両凸レンズＬ３１で構成されている。
【０３６１】
第４レンズ群Ｇ４は正群で、拡大側に凸の正メニスカスレンズＬ４１、平凸正レンズＬ４２で構成されている。
【０３６２】
第５レンズ群Ｇ５は負群で、平凹負レンズＬ５１、両凸レンズＬ５２、拡大側に凹の負メニスカスレンズＬ５３、両凸レンズＬ５４で構成されている。
【０３６３】
平凹負レンズＬ５１、両凸レンズＬ５２は接合されている。
【０３６４】
実施例１４の、全系の焦点距離：Ｆの範囲、Ｆナンバ、広角端における半画角：ωｗは、以下のとおりである。
【０３６５】
Ｆ＝１７．４〜２６ｍｍ、Ｆｎｏ＝２．５５〜３．３３、ωｗ＝３４．０°
実施例１４のデータを表５３に示す。
【０３６６】
【表５３】
2014142596.tif 000055
【０３６７】
「非球面のデータ」
非球面のデータを表５４に示す。
【０３６８】
【表５４】
2014142596.tif 000056
【０３６９】
投射距離を１６００ｍｍとしたときの、レンズ群間隔：Ｓ６、Ｓ１３、Ｓ１５、Ｓ２０を、広角端・中間・望遠端について、表５５に示す。
【０３７０】
【表５５】
2014142596.tif 000057
【０３７１】
「各条件のパラメータの値」
条件（１）〜（６）のパラメータの値を、表５６に示す。
【０３７２】
【表５６】
2014142596.tif 000058
【０３７３】
図２８に、実施例１４の収差図を図２に倣って示す。
【０３７４】
収差図に示すように、各実施例の投射用ズームレンズともに、諸収差は高レベルで補正され、球面収差、非点収差、像面湾曲、倍率色収差、歪曲収差も十分に補正されている。
【０３７５】
実施例１〜１４に示された投射用ズームレンズは何れも、拡大側から縮小側へ向かって第１レンズ群〜第５レンズ群を配してなる５レンズ群構成である。
【０３７６】
第１レンズ群は、負の屈折力を有し、第２レンズ群は、負の屈折力を有し、第３レンズ群は、正の屈折力を有している。
【０３７７】
そして、前記条件：（１）〜（６）を満足している。
実施例１２と実施例１３においては、第４レンズ群が「負群」であり、条件：（１）〜（６）のパラメータは、前記条件（１Ａ）〜（６Ａ）を満足している。
実施例１２、１３を除く他の実施例においては、第４レンズ群が「正群」であり、条件：（１）〜（６）のパラメータは、前記条件（１Ｂ）〜（６ｂ）を満足している。
【０３７８】
また、各実施例の投射用ズームレンズは、広角端の半画角が３４度より大きい広画角である。
【０３７９】
そして、大きなバックフォーカスBfと短い焦点距離Fwとが共に確保され、変倍時の収差補正も良好で、コンパクトである。
【符号の説明】
【０３８０】
Ｇ１        第１レンズ群  
Ｇ２        第２レンズ群  
Ｇ３        第３レンズ群  
Ｇ４        第４レンズ群  
Ｇ５        第５レンズ群
【先行技術文献】
【特許文献】
【０３８１】
【特許文献１】特許４９７２７６３号公報
【特許文献２】特開２００３−０１５０３８号公報
【図１】
2014142596.tif 000059
【図２】
2014142596.tif 000060
【図３】
2014142596.tif 000061
【図４】
2014142596.tif 000062
【図５】
2014142596.tif 000063
【図６】
2014142596.tif 000064
【図７】
2014142596.tif 000065
【図８】
2014142596.tif 000066
【図９】
2014142596.tif 000067
【図１０】
2014142596.tif 000068
【図１１】
2014142596.tif 000069
【図１２】
2014142596.tif 000070
【図１３】
2014142596.tif 000071
【図１４】
2014142596.tif 000072
【図１５】
2014142596.tif 000073
【図１６】
2014142596.tif 000074
【図１７】
2014142596.tif 000075
【図１８】
2014142596.tif 000076
【図１９】
2014142596.tif 000077
【図２０】
2014142596.tif 000078
【図２１】
2014142596.tif 000079
【図２２】
2014142596.tif 000080
【図２３】
2014142596.tif 000081
【図２４】
2014142596.tif 000082
【図２５】
2014142596.tif 000083
【図２６】
2014142596.tif 000084
【図２７】
2014142596.tif 000085
【図２８】
2014142596.tif 000086
【図２９】
2014142596.tif 000087